(57)【要約】【課題】  操作部の押圧操作のみで簡便かつ確実に雄バックルと雌バックルとを分離可能なバックルを提供すること。【解決手段】  両バックル体２，１０の連結時は、一対の弾性片１３，１３の一部である操作部１４，１４が前記雌バックル体２の両側部に設けた窓穴Ａ，Ｂからそれぞれ露出すると共にこの窓穴Ａ，Ｂと係止しており、窓穴Ａ，Ｂより露出した操作部１４，１４を互いに近接することにより、各弾性片１４，１４は窓穴Ａ，Ｂとの係合が解除されると共に、各弾性片１４，１４の先端側部１４ａ，１４ａが雌バックル体２の略中央部に形成された摺接面９ａ，９ａと摺接して、雄バックル体１０に雌バックル体２から離脱する方向に移動する付勢力を付与している。【選択図】  図５
2007020603.tif 000002
【特許請求の範囲】
【請求項１】
一端にベルト取付部を有する筒状の雌バックル体と、一端にベルト取付部を有する雄バックル体とを備え、前記雄バックル体に設けた一対の弾性片を前記雌バックル体に嵌入することにより両バックル体を連結し、前記一対の弾性片を外部から操作することにより両バックル体の連結を解除するバックルであって、両バックル体の連結時は、一対の弾性片の一部が前記雌バックル体の両側部に設けた窓穴からそれぞれ露出すると共に該窓穴と係止しており、前記窓穴より露出した一対の弾性片を互いに近接することにより、該各弾性片は窓穴との係合が解除されると共に、各弾性片の先端側部が前記雌バックル体の略中央部に形成された摺接面と摺接して、前記雄バックル体に雌バックル体から離脱する方向に移動する付勢力を付与することを特徴とするバックル。
【請求項２】
前記雄バックル体は、前記雌バックル体に形成した案内溝に案内される一対の弾性片の間に設けた中足を有している請求項１に記載のバックル。
【請求項３】
前記雌バックル体には内壁が形成され、内壁の両外側面が上面視略ハの字状の摺接面として構成され、内壁の中央部が案内溝として構成されている請求項２に記載のバックル。
【発明の詳細な説明】
【技術分野】
【０００１】
本発明は、一端にベルト取付部を有する筒状の雌バックル体と、一端にベルト取付部を有する雄バックル体とを備え、前記雄バックル体に設けた一対の弾性片を前記雌バックル体に嵌入することにより両バックルを連結し、前記一対の弾性片を外部から操作することにより両バックル体の連結を解除するバックルに関する。
【背景技術】
【０００２】
従来のバックルは、雄バックルと雌バックルの２つの分離された部材から構成され、それぞれのバックルに形成された巻回部にベルトを取り付け、雌バックルの筒状部に雄バックルの中足および一対の弾性片の先端側に形成した操作部を挿し込むことで雌バックルの窓穴から突出させるとともに、操作部の係合面部が雌バックルの穴縁面に係合されて連結される。つまり、これらバックルの連結によってベルトが間接的に連結されるようになっている。
【０００３】
このバックルの連結解除を行うには、指などを利用して窓穴から突出する一対の操作部を内側に向けて押圧操作を行うことにより、穴縁面から係合面部の係合を解除する第１動作と、この第１動作に引き続いて中足および一対の操作部を筒状部から取り外す第２動作を行うことで雄バックルと雌バックルとが分離され、ベルトの連結状態が解除される（例えば、特許文献１参照）。
【０００４】
【特許文献１】特許第３２１０７９８号公報（段落００２０−００２２、図１，２）
【発明の開示】
【発明が解決しようとする課題】
【０００５】
しかしながら、特許文献１のバックルにおいて、雄バックルと雌バックルの分離を行うには、常に第１動作とこの第１動作に引き続いて第２動作を行う必要があり煩わしさがあった。
【０００６】
本発明は、このような問題点に着目してなされたもので、操作部の押圧操作のみで簡便かつ確実に雄バックルと雌バックルとを分離可能なバックルを提供することを目的とする。
【課題を解決するための手段】
【０００７】
上記課題を解決するために、本発明の請求項１に記載のバックルは、一端にベルト取付部を有する筒状の雌バックル体と、一端にベルト取付部を有する雄バックル体とを備え、前記雄バックル体に設けた一対の弾性片を前記雌バックル体に嵌入することにより両バックル体を連結し、前記一対の弾性片を外部から操作することにより両バックル体の連結を解除するバックルであって、両バックル体の連結時は、一対の弾性片の一部が前記雌バックル体の両側部に設けた窓穴からそれぞれ露出すると共に該窓穴と係止しており、前記窓穴より露出した一対の弾性片を互いに近接することにより、該各弾性片は窓穴との係合が解除されると共に、各弾性片の先端側部が前記雌バックル体の略中央部に形成された摺接面と摺接して、前記雄バックル体に雌バックル体から離脱する方向に移動する付勢力を付与することを特徴としている。
この特徴によれば、窓穴より露出した一対の弾性片を互いに近接することにより、各弾性片の先端側部が雌バックル体の略中央部に形成した摺接面と摺接して、各弾性片は窓穴との係合が解除されると同時に、雄バックル体を雌バックル体から離脱する方向に容易に移動することができる。
【０００８】
本発明の請求項２に記載のバックルは、請求項１に記載のバックルであって、前記雄バックル体は、前記雌バックル体に形成した案内溝に案内される一対の弾性片の間に設けた中足を有していることを特徴としている。
この特徴によれば、両バックル体の連結時または連結の解除時に、中足が雌バックル体に形成した案内溝に案内されるので、雄バックル対が常に雌バックル体に対して円滑に移動することができる。
【０００９】
本発明の請求項３に記載のバックルは、請求項２に記載のバックルであって、前記雌バックル体には内壁が形成され、内壁の両外側面が上面視略ハの字状の摺接面として構成され、内壁の中央部が案内溝として構成されている特徴としている。
この特徴によれば、雌バックル体に上面視略ハの字状の内壁を形成することで、摺動面と案内溝をコンパクトに構成できる。
【発明を実施するための最良の形態】
【００１０】
本発明の実施例を以下に説明する。
【実施例１】
【００１１】
図１は、本発明の実施例１におけるバックルの全体像を示す斜視図であり、図２は、バックルの操作を示す斜視図であり、図３は、バックルの分解組立斜視図であり、図４（ａ）は、バックルを構成する雌バックル体と雄バックル体が分離した状態を示す平面図であり、図４（ｂ）は、雄バックル体を雌バックル体に組み付ける過程を示す平面図であり、図４（ｃ）は、雌バックル体に雄バックル体が一体で連結された状態を示す平面図であり、図５（ａ）は、バックルを雌バックル体と雄バックル体に分離する際に操作部を押圧操作した平面図であり、図５（ｂ）は、操作部の押圧操作によって雌バックル体から雄バックル体が取り出される過程を示す平面図であり、図５（ｃ）は、雌バックル体と雄バックル体との連結が解除された状態を示す平面図である。
【００１２】
図１，２に示されるバックル１は、主に紐やベルト２０の連結を行う際に用いられる連結具である。尚、本実施例の説明において、ベルト２０，２０の長さ方向を左右方向とし、バックル１の背面側の操作部１４を前方、正面側の操作部１４を後方として以下に説明する。このバックル１はプラスチック製の樹脂材で構成され、扁平筒状の雌バックル体２の収納部６内部に雄バックル体１０の一部先端側が収納されている。
【００１３】
この雌バックル体２の前後には窓穴Ａ，Ｂが形成されており、これら前後の窓穴Ａ，Ｂから雄バックル体１０の操作部１４，１４がそれぞれ突出するように露出して、雌バックル体２の右端部の前後に設けられた外壁８，８に係止されることで、雄バックル体１０が、雌バックル体２から分離する方向に移動不能に保持されている。
【００１４】
雌バックル体２の左方一端に設けられたベルトの取付部として構成した巻回部５には、上下に貫通する矩形状の挿通孔５ａが形成され、同じく雄バックル体１０の右方一端に設けられたベルトの取付部として構成した巻回部１１には、挿通孔１１ａが形成されており、それぞれの挿通孔５ａ，１１ａにベルト２０，２０が巻回されている。つまり、バックル１を介して左右のベルト２０，２０が連結された状態になっている。
【００１５】
そこで、雌バックル体２から雄バックル体１０を解除するには、図２に示すように、２本の指等で一対の操作部１４，１４を把持して、さらに窓穴Ａ，Ｂの内方に向けて押込んでいくことで（尚、操作部１４，１４の押込み構造については後述において説明する。）、操作部１４，１４が外壁８，８から係止解除され、雌バックル体２から雄バックル体１０が右方に向けて移動して分離可能となり、ベルト２０，２０の連結を解除できる。
【００１６】
尚、特に図示しないが、雌バックル体２の収納部６の外部に露出する上下（表裏）面は平坦状に形成され、例えば商品名やブランド名等の多様な名称やマークまたは模様等を印字や彫り込みで形成可能となっている。
【００１７】
次に図３に示されるように、雄バックル体１０と雌バックル体２について説明する。まず、雄バックル体１０について説明すると、巻回部１１の左側端部の中間位置からは、左方に向けて角柱状の中足１２が延設されるとともに、その付け根部分には補強リブ１２ａが前後に設けられており、中足１２の折れ曲がりを防止している。
【００１８】
同様に、巻回部１１の左側端部の前後位置からは、それぞれ左方に向けて弾性力を有する一対の弾性片１３，１３が同形状で延設され、この弾性片１３，１３は前後方向に弾性変形可能な構成になっている。これら前後２本の弾性片１３，１３と、その中間に位置する中足１２の配設関係は互いに左右の長さ方向に沿って平行に延設されている。
【００１９】
さらに弾性片１３，１３の先端側には操作部１４，１４が各々設けられ、弾性片１３，１３の頭部を構成している。したがって、指による前後方向からの操作部１４，１４の押圧操作（前述の図２参照）によって、弾性片１３，１３の弾性反発力に抗して押圧され内側に弾性変形することができ、操作部１４，１４の右側端部には係止爪１４ｂが形成されている。尚、中足１２の先端の長さは操作部１４，１４の先端１４ａ，１４ａよりも突出した長さに形成されているが、短くても良い。
【００２０】
つづいて雌バックル体２について説明する。尚、この雌バックル体２の説明においては、雌バックル体２の内部構造を明確にするために上下に２分割した状態で説明する。雌バックル体２の右方側の前後端部には左右の長さ方向に沿って外壁８，８が上下方向に突設されている。
【００２１】
収納部６の前後側部には、巻回部５の右側端部から外壁８，８の左側端部に掛けて切欠きが設けられ、上面視凹状の側端面６ａ，６ａが前後に形成されている。尚、外壁８，８の左側端部には側端面６ａ，６ａに連設して係止端部８ａ，８ａが形成されている。
【００２２】
収納部６の内部に設けられた前後の内壁９，９の中央位置には雌バックル体２の右側端から巻回部５に向かって左右方向に延びる案内溝７が形成されて、内壁９，９の右端部には前後に広がる入口コーナ面７ａ，７ａが形成されている。
【００２３】
この内壁９，９の外側面は巻回部５に向けて前後に広がる上面視略ハの字状の摺接コーナ面９ａ，９ａが形成されている。本実施例においては、この上面視略ハの字状の摺接コーナ面９ａ，９ａは若干凹状に湾曲した構成となっているため、操作部１４，１４の先端１４ａ，１４ａとの摺動抵抗を軽減すると同時に、操作部１４，１４が外壁から係止解除しやすい効果を有している。このように、雌バックル体２に設けた内壁９，９には、摺接コーナ面９ａ，９ａと案内溝７とが一体的にコンパクトに構成されている。
【００２４】
このようにして、雌バックル体２に前後側方に形成された一対の側端面６ａ，６ａ間には、前後に解放される窓穴Ａ，Ｂ（図１，２参照）が形成されるとともに、上下の内壁９，９によって筒状に形成された収納部６の内部が前後に二分割されている。尚、雌バックル体２および雄バックル体１０の製作は、プラスチック樹脂材の金型を用いた型抜きで成型され、それぞれが一体で構成されることで製造工程を簡便に行えるとともに、コストの低減が図られている。
【００２５】
次に、図４に示されるように雌バックル体２と雄バックル体１０の連結過程について説明する。尚、雌バックル体２と雄バックル体１０の連結過程を具体的に示すために、雌バックル体２の上部を省略し、両バックル体２，１０に巻回されるベルト２０，２０も省略して説明する。
【００２６】
図４（ａ）に示されるように、雌バックル体４の収納部６の案内溝７に向けて雄バックル体１０の中足１２の先端を近接させていくと、内壁９，９の右端部には幅広の入口コーナ面７ａ，７ａが形成されているので、中足１２の先端が前後のいずれかの入口コーナ面７ａ，７ａに当接されても、常に案内溝７の中心に向けて円滑に案内することができる。
【００２７】
図４（ｂ）に示されるように、中足１２が案内溝７に挿通されていくと、前後の内壁９ｂ，９ｂ間に沿ってさらに奥へと案内されるとともに、一対の操作部１４，１４の先端１４ａ，１４ａ及び外周端１４ｃ，１４ｃが外壁８，８の内側面と摺接しながら、前後に区画された収納部６，６内にそれぞれ収納されていく。
【００２８】
この操作部１４，１４が外壁８，８に摺動されていく過程では、前後の弾性片１３，１３が外壁８，８により弾性反発力に抗して内方に向けて湾曲され、さらに雄バックル体１０が左方に押し込まれることで、図４（ｃ）に示されるように、操作部１４，１４が窓穴Ａ，Ｂに至り、弾性反発力が解けて操作部１４，１４が窓穴Ａ，Ｂから突出し係止爪１４ｂ，１４ｂが外壁８，８の係止端部８ａ，８ａと係合し、雌バックル体２と雄バックル体１０の連結が完了する。
【００２９】
この連結状態においては、雌バックル体２から雄バックル体１０を右方（離脱する方向）に引っ張っても、係止爪１４ｂ，１４ｂが係止端部８ａ，８ａに突出して係止されているので連結状態が強固に維持される構成となっている。
【００３０】
次に、図５に示されるように雌バックル体２と雄バックル体１０の分離過程について説明する。図５（ａ）に示されるように窓穴Ａ，Ｂより操作部１４，１４の外周端１４ｃ，１４ｃが指（図２参照）で把持され、弾性片１３，１３が弾性反発力に抗して前後方向より内方に押圧された状態においては、操作部１４，１４が内方に移動されるとともに、前後の弾性片１３，１３が内方に向けて湾曲され弾性変形されていく。
【００３１】
そして、係止端部８ａ，８ａから係止爪１４ｂの係止が解除されると同時に、操作部１４，１４の先端１４ａ，１４ａが内壁９，９の摺接コーナ面９ａ，９ａに接触され押圧状態が持続されると、摺接コーナ面９ａ，９ａの形状が巻回部５に向けて広がる上面視略ハの字状となっているので、先端１４ａ，１４ａが摺接コーナ面９ａ，９ａに沿って摺動されながら、雌バックル体２から離脱する方向に向けて雄バックル体１０に付勢力が付与され、中足１２も案内溝７に沿って離脱する方向に向けて移動されていく。
【００３２】
そこで、図５（ｂ）に示されるように、操作部１４，１４の押圧操作が解除され、摺接コーナ面９ａ，９ａから先端１４ａ，１４ａの摺接が解除されても、雌バックル体２から離脱する方向に向けて雄バックル体１０に付勢力が付与された状態が維持されているので、雄バックル体１０はその係止爪１４ｂ，１４ｂの外周端１４ｃ，１４ｃを外壁８，８の内側面と摺接しながら矢示方向へ摺動移動する。そして最後は、図５（ｃ）に示されるように、雌バックル体２から雄バックル体１０の離脱が完了して両バックル体２，１０の連結解除される。
【００３３】
つまり、一対の弾性片１３，１３の一部である操作部１４，１４の押圧操作のみで、窓穴Ａ，Ｂと操作部１４，１４との係合が解除される略同時に、操作部１４，１４の先端１４ａ，１４ａが雌バックル体２の摺接コーナ面９ａ，９ａと当接して、雄バックル体１０が雌バックル体２から離脱する方向に摺動されるので、簡便かつ確実に雄バックル体１０と雌バックル体２とを分離することが可能となる。
【実施例２】
【００３４】
次に、本発明の実施例２を図６に基づいて説明する。図６は、本発明の実施例２における操作部を押圧操作したバックルの平面図である。なお、以下の実施例２において前述の実施例１と同様の構造部分に関しては、同一の符号を付すことにより詳細な説明は省略する。
【００３５】
前記実施例１において、雌バックル体２の摺接コーナ面９ａ，９ａは上面視略ハの字状の若干凹状に湾曲した形状に構成されていたが、操作部１４，１４の係止爪１４ｂが係止端部８ａ，８ａからはずれて係止が解除されたときに、雄バックル体１０が雌バックル体２から離脱する方向に向けて付勢力が付与される形状であればよく、図６に示すように、摺接コーナ面１９ａ，１９ａは凹状に湾曲しておらず平坦面となっており、内壁１９，１９は上面視略三角形状になっている。そして窓穴Ａ，Ｂの略中間部までしか延在しておらず、従って中足１２をガイドする案内溝１７も短寸に形成されている。
【００３６】
窓穴Ａ，Ｂより操作部１４，１４の外周端１４ｃ，１４ｃが指で把持され、弾性片１３，１３が弾性反発力に抗して前後方向より内方に押圧されると、操作部１４，１４が内方に移動し、係止端部８ａ，８ａから係止爪１４ｂの係止が解除されると同時に、操作部１４，１４の先端１４ａ，１４ａが内壁１９，１９の摺接コーナ面１９ａ，１９ａに接触する。
【００３７】
更に操作部１４，１４への押圧状態が持続されると、摺接コーナ面１９ａ，１９ａの形状が巻回部５に向けて広がる上面視略ハの字状の平坦面として構成されているので、先端１４ａ，１４ａが摺接コーナ面１９ａ，１９ａに沿って摺動されながら、雌バックル体２’から離脱する方向に向けて雄バックル体１０に付勢力が付与され、中足１２も案内溝１７に沿って離脱する方向に向けて移動されていく。
【００３８】
以上の説明により実施例２では、内壁１９，１９をコンパクトに構成できるばかりでなく、摺接コーナ面１９ａ，１９ａの形状が単純な平坦面形状であるため、製作が容易でコストの低減化が図れる。
【００３９】
以上、本発明の実施例を図面により説明してきたが、具体的な構成はこれら実施例に限られるものではなく、本発明の要旨を逸脱しない範囲における変更や追加があっても本発明に含まれ、例えば上記実施例１，２では、内壁９，９間を案内溝７に利用して、雌バックル体２の中央部をコンパクトに構成しているが、本発明はこれに限定されるものではなく、案内溝７と内壁９，９をそれぞれ別個に設けるようにしても良い。
【００４０】
また、上記実施例１，２では、雄バックル体１０に中足１２を延設し、雌バックル体２の案内溝７に挿通させて、両バックル体２，１０の連結および解除を円滑に行っているが、本発明はこれに限定されるものではなく、中足１２を設けない雄バックル体を用いることも可能である。
【００４１】
また、実施例１では、弾性変形可能な樹脂製の弾性片１３を巻回部５と一体構造で構成することで、雄バックル体１０の構造を複雑にすることなく安価かつ軽量に製作できることから好ましいが、本発明はこれに限定されるものではなく、樹脂製の弾性片１３，１３に替えて金属のバネ板を用いて、一対の操作部１４，１４および巻回部１０と連結させるようにしても良い。
【図面の簡単な説明】
【００４２】
【図１】本発明の実施例１におけるバックルの全体像を示す斜視図である。
【図２】バックルの操作を示す斜視図である。
【図３】バックルの分解組立斜視図である。
【図４】（ａ）は、バックルを構成する雌バックル体と雄バックル体が分離した状態を示す平面図であり、（ｂ）は、雄バックル体を雌バックル体に組み付ける過程を示す平面図であり、（ｃ）は、雌バックル体に雄バックル体が一体で連結された状態を示す平面図である。
【図５】（ａ）は、バックルを雌バックル体と雄バックル体に分離する際に操作部を押圧操作した平面図であり、（ｂ）は、操作部の押圧操作によって雌バックル体から雄バックル体が取り出される過程を示す平面図であり、（ｃ）は、雌バックル体と雄バックル体との連結が解除された状態を示す平面図である。
【図６】本発明の実施例２における操作部を押圧操作したバックルの平面図である。
【符号の説明】
【００４３】
１                バックル
２、２’          雌バックル体
５                巻回部（取付部）
５ａ              挿通孔
６                収納部
６ａ              側端面
７                案内溝
７ａ              入口コーナ面
８                外壁
８ａ              係止端部
９                内壁
９ａ              摺接コーナ面
１０              雄バックル体
１１              巻回部（取付部）
１１ａ            挿通孔
１２              中足
１２ａ            補強リブ
１３              弾性片
１４              操作部（弾性片の一部）
１４ａ            先端
１４ｂ            係止爪
１４ｃ            外周端
１７              案内溝
１９              内壁
１９ａ            摺接コーナ面
２０              ベルト
Ａ、Ｂ            窓穴
【図１】
2007020603.tif 000003
【図２】
2007020603.tif 000004
【図３】
2007020603.tif 000005
【図４】
2007020603.tif 000006
【図５】
2007020603.tif 000007
【図６】
2007020603.tif 000008